(57)【要約】【課題】医師や事務担当者が容易に操作でき、自由な切り口で情報解析を行うことができる医療情報処理システムを提供することを目的とする。【解決手段】医療情報を入力するユーザ端末装置と、複数の医療情報を蓄積する医療情報管理サーバと、医療情報管理サーバに蓄積された複数の医療情報の中から所望の項目を抽出し、該抽出した項目を相互に連結して二次医療情報を生成する情報処理装置と、医ユーザ端末装置、医療情報管理サーバおよび情報処理装置を相互に接続するネットワークと、を備え、ユーザ端末装置は、医療情報を入力する操作部と、二次医療情報を表示させる表示制御部と、を有し、表示制御部は、操作部の操作により、二次医療情報を個別具体的に表示させる。【選択図】図１
2012177976.tif 000002
【特許請求の範囲】
【請求項１】
医療情報を入力するユーザ端末装置と、
複数の前記医療情報を蓄積する医療情報管理サーバと、
前記医療情報管理サーバに蓄積された複数の医療情報の中から所望の項目を抽出し、該抽出した項目を相互に連結して二次医療情報を生成する情報処理装置と、
前記医ユーザ端末装置、前記医療情報管理サーバおよび前記情報処理装置を相互に接続するネットワークと、を備え、
前記ユーザ端末装置は、
医療情報を入力する操作部と、
前記二次医療情報を表示させる表示制御部と、を有し、
前記表示制御部は、前記操作部の操作により、前記二次医療情報を個別具体的に表示させることを特徴とする医療情報処理システム。
【請求項２】
前記医療情報は、データ形式の異なる複数の情報を含むことを特徴とする請求項１に記載の医療情報処理システム。
【発明の詳細な説明】
【技術分野】
【０００１】
本発明は、医療情報処理システムに関する。
【背景技術】
【０００２】
現在の医療機関では、コンピュータにより、医療情報を電子データとして一括して管理する病院情報システムが導入されている。この病院情報システムは、例えば、ユーザ端末装置と、医療情報管理サーバとにより構成されており、ユーザ端末装置側において医師や病院の事務職員等が医療情報を入力すると、医療情報管理サーバにおいて、この入力された医療情報がデータベースとして蓄積されるようになっている。
【０００３】
医療情報として、例えば、医師の医療行為を記録するカルテを管理する場合には、病院情報システムとして電子カルテを用いる（例えば、特許文献１参照）。
【０００４】
そして、かかる病院情報システムを用いて、医療情報を解析し、病院経営等に役立てる試みがなされている。例えば、医療情報の解析を、医師や病院の事務職員が、マイクロソフトのエクセル等の表計算ソフトを用いて行おうとしている。
【先行技術文献】
【特許文献】
【０００５】
【特許文献１】特開２００４−１４５５７１号公報
【発明の概要】
【発明が解決しようとする課題】
【０００６】
ところが、医療機関で用いられる病院情報システムは、上述した電子カルテだけではない。例えば、医事会計システム、各部門システム、ＤＰＣ（Diagnosis Procedure Combination；診断群分類）および文書管理システム等も病院情報システムとして用いられる。また、医療機関で用いられる情報システムとしては、人事給与システム、勤怠管理システム等がある。そのため、医療機関では、病院情報システムや情報システムを複数用いて、医療情報等を管理するため、医療情報管理サーバにはデータ形式の異なる複数の医療情報が蓄積される。
【０００７】
また、各医療情報は、それぞれ膨大な情報量を有しており、例えば、電子カルテのログにおいては、一月で約１５０万件の情報量となる。
【０００８】
従って、医療情報の解析には、医療情報における必要な項目の抽出やピポットテーブル、データの再加工や移行等の作業がたびたび発生することに加え、データベースに関する知識が必要となる。そのため、実際に医療情報を解析する際には、情報解析の専門家に定型的な解析手法の設計を依頼することが多々ある。
【０００９】
しかしながら、情報解析の専門家が設計した定型的な解析手法には限界がある。例えば、
医療現場の医師等の視点からの試行錯誤的解析を行う場合には、自由な発想での切り口の変化が必要なるため、その度に新たな解析手法の設計が必要となる。そのため、医療情報を用いて効率的に情報解析を行うことが困難である問題があった。
【００１０】
本発明は、上記事情に鑑みてなされたものであり、医師や事務担当者が容易に操作でき、自由な切り口で情報解析を行うことができる医療情報処理システムを提供することを目的とする。
【課題を解決するための手段】
【００１１】
上記目的を達成するため、本発明に係る医療情報処理システムは、医療情報を入力するユーザ端末装置と、複数の前記医療情報を蓄積する医療情報管理サーバと、前記医療情報管理サーバに蓄積された複数の医療情報の中から所望の項目を抽出し、該抽出した項目を相互に連結して二次医療情報を生成する情報処理装置と、前記医ユーザ端末装置、前記医療情報管理サーバおよび前記情報処理装置を相互に接続するネットワークと、を備え、前記ユーザ端末装置は、医療情報を入力する操作部と、前記二次医療情報を表示させる表示制御部と、を有し、前記表示制御部は、前記操作部の操作により、前記二次医療情報を個別具体的に表示させることを特徴とする。
【発明の効果】
【００１２】
本発明によれば、データ形式の異なる複数の医療情報を容易に統合することができ、この統合した医療情報を、医師や事務職員等のユーザが簡便な操作により表示させることができる医療情報処理システムを提供することができる。
【図面の簡単な説明】
【００１３】
【図１】本発明の一実施形態に係る医療情報処理システムの構成を示す図である。
【図２】ユーザ端末装置のブロック構成を示す図である。
【図３】医療情報管理サーバのブロック構成を示す図である。
【図４】情報処理装置のブロック構成を示す図である。
【図５】実施例１に係る電子カルテの表示画面の構成の一例を示す図である。
【図６】実施例１に係る二次医療情報の表示画面の構成の一例を示す図である。
【図７】実施例１に係る二次医療情報の表示画面の構成の一例を示す図である。
【図８】実施例１に係る二次医療情報の表示画面の構成の一例を示す図である。
【図９】実施例１に係る二次医療情報の表示画面の構成の一例を示す図である。
【図１０】実施例１に係る二次医療情報の表示画面の構成の一例を示す図である。
【図１１】実施例１に係る二次医療情報の表示画面の構成の一例を示す図である。
【図１２】実施例１に係る二次医療情報の表示画面の構成の一例を示す図である。
【図１３】実施例１に係る二次医療情報の表示画面の構成の一例を示す図である。
【図１４】実施例２に係る二次医療情報の表示画面の構成の一例を示す図である。
【図１５】実施例２に係る二次医療情報の表示画面の構成の一例を示す図である。
【図１６】実施例２に係る二次医療情報の表示画面の構成の一例を示す図である。
【図１７】実施例２に係る二次医療情報の表示画面の構成の一例を示す図である。
【図１８】実施例２に係る二次医療情報の表示画面の構成の一例を示す図である。
【発明を実施するための形態】
【００１４】
本発明の一実施形態について、図面を参照して詳細に説明する。
【００１５】
［１．医療情報処理システムの構成等］
本実施形態に係る医療情報処理システム１は、図１に示すように、ユーザ端末装置２と、医療情報管理サーバ３と、情報処理装置４とにより構成されており、これらの構成要素は、例えば、インターネット等のネットワーク５により接続されている。
【００１６】
この医療情報処理システム１では、ユーザ端末装置２において医師や病院の事務担当者といったユーザが医療情報を入力し、この入力した医療情報が医療情報管理サーバ３に蓄積される。このとき、医療情報管理サーバ３には、データ形式の異なる複数の医療情報がデータ形式毎に別れて蓄積される。そして、情報処理装置４は、医療情報管理サーバ３に蓄積されたデータ形式の異なる複数の医療情報の中から必要な項目を抽出して、抽出した項目を相互に連結させた二次医療情報データを生成する。この生成された二次医療情報データは、ユーザ端末装置２においてユーザの操作により、該ユーザ端末装置２が取得し、取得した二次医療情報データに基づいた情報が表示される。
【００１７】
以下、医療情報処理システム１を構成する各構成要素について具体的に説明する。
【００１８】
（ユーザ端末装置２の構成）
まず、ユーザ端末装置２の構成について説明する。図２は、本実施形態の医療情報処理システム１におけるユーザ端末装置２のブロック構成を示す図である。
【００１９】
ユーザ端末装置２は、病院等の医療機関において、医師や事務担当者といったユーザが医療情報を入力するための装置であり、入力した医療情報を表示する機能を有する装置でもある。このユーザ端末装置２は、汎用のサーバコンピュータを用いて構成することができ、図２に示すように、ＣＰＵ（Central Processing Unit）２１と、ユーザ端末装置用プログラム２２ａ等を記憶する書き換え可能な主記憶装置としての第１記憶部２２と、各種情報を記憶するＨＤＤ（Hard Disk Drive）等から構成された第２記憶部２３と、ネットワーク５介して医療情報管理サーバ３および情報処理装置４との間で通信を行うための通信インターフェイス（以下、「通信ＩＦ」という）２４と、操作部２５と、表示部２６とを備えて構成されている。これらの各種構成要素はシステムバス２７を介して相互に接続されている。なお、本実施形態においては、ＣＰＵ２１と第１記憶部２２とで制御部２８が構成される。
【００２０】
（第１記憶部２２について）
また、第１記憶部２２には、ユーザ端末装置２のコンピュータとしての基本的な機能を提供すると共に、ユーザ端末装置２を各種手段として機能させるためのユーザ端末装置用プログラム２２ａを記憶しており、このユーザ端末装置用プログラム２２ａはＣＰＵ２１によって読み出され、ＣＰＵ２１によってユーザ端末装置用プログラム２２ａに従った機能が実行される。
【００２１】
なお、ユーザ端末装置用プログラム２２ａは、例えば、ネットワークに接続されたサーバ等から、通信ＩＦ２４を介して、第１記憶部２２にダウンロードされるようにしてもよく、又ＣＤ−ＲＯＭ等の記録媒体に記録されてから図示しない記録媒体ドライブを介して、第１記憶部２２に読み込まれるようにしてもよい。
【００２２】
（第２記憶部２３について）
第２記憶部２３には、医師や事務担当者により入力された医療情報に関する医療情報データが一時的に記憶される。この第２記憶部２３に記憶された医療情報データは所定期間、例えば、１時間毎に、医療情報管理サーバ３に通信ＩＦ２４を介して転送される。
【００２３】
医療情報は、例えば、電子カルテや上述した電子カルテだけではない。例えば、医事会計システム、各部門システム、ＤＰＣ（Diagnosis Procedure Combination；診断群分類）および文書管理システム等も病院情報システムとして用いられる。また、医療機関で用いられる情報システムとしては、人事給与システム、勤怠管理システム等がある。
【００２４】
（制御部２８について）
制御部２８は、上述のようにＣＰＵ２１と第１記憶部２２とから構成され、ＣＰＵ２１が第１記憶部２２に記憶されたユーザ端末装置用プログラム２２ａを読み出して実行することにより、制御部２８がユーザ端末装置２全体を統括制御し、かつ、通信処理手段および表示制御手段として機能するようになっている。
【００２５】
通信処理手段は、通信ＩＦ２４を制御してネットワークを介して医療情報管理サーバ３または情報処理装置４との間で医療情報の送受信処理を行う。
【００２６】
表示制御手段は、医師や事務担当者が医療情報を入力する際には表示部２６に医療情報入力画面を表示させ、情報処理装置４により生成された二次医療情報を表示部２６に表示させる。また、この表示制御手段は、操作部２５を操作することにより表示した二次医療情報を個別具体的に表示する機能も有している。
【００２７】
（医療情報管理サーバ３の構成）
次に、医療情報管理サーバ３の構成について説明する。図３は、本実施形態の医療情報処理システム１における医療情報管理サーバ３のブロック構成を示す図である。
【００２８】
医療情報管理サーバ３は、ユーザ端末装置２において入力された医療情報を蓄積するための装置である。この医療情報管理サーバ３は、汎用のサーバコンピュータを用いて構成することができ、図３に示すように、ＣＰＵ３１と、管理サーバ装置用プログラム３２ａ等を記憶する書き換え可能な主記憶装置としての第１記憶部３２と、各種情報を記憶するＨＤＤ等から構成された第２記憶部３３と、ネットワーク５を介して接続しているユーザ端末装置２および情報処理装置４との間で通信を行うための通信ＩＦ３４とを備えて構成されている。これらの各種構成要素はシステムバス３５を介して相互に接続されている。なお、本実施形態においては、ＣＰＵ３１と第１記憶部３２とで制御部３６が構成される。
【００２９】
（第１記憶部３２について）
また、第１記憶部３２には、医療情報管理サーバ３のコンピュータとしての基本的な機能を提供すると共に、医療情報管理サーバ３を各種手段として機能させるための管理サーバ装置用プログラム３２ａを記憶しており、この管理サーバ装置用プログラム３２ａはＣＰＵ３１によって読み出され、ＣＰＵ３１によって管理サーバ装置用プログラム３２ａに従った機能が実行される。
【００３０】
なお、管理サーバ装置用プログラム３２ａは、例えば、ネットワークに接続されたサーバ等から、通信ＩＦ３４を介して、第１記憶部３２にダウンロードされるようにしてもよく、又ＣＤ−ＲＯＭ等の記録媒体に記録されてから図示しない記録媒体ドライブを介して、第１記憶部３２に読み込まれるようにしてもよい。
【００３１】
（第２記憶部３３について）
第２記憶部３３には、ユーザ端末装置２においてユーザにより入力された医療情報が蓄積される。医療情報は複数の病院情報システムにより生成されるため、それぞれの医療情報は互いにデータ形式が異なる。そのため、医療機関では、病院情報システムや情報システムを複数用いて、医療情報等を管理するため、医療情報管理サーバにはデータ形式の異なる複数の医療情報が蓄積される。
【００３２】
（制御部３６について）
制御部３６は、上述のようにＣＰＵ３１と第１記憶部３２とから構成され、ＣＰＵ３１が第１記憶部３２に記憶された管理サーバ装置用プログラム３２ａを読み出して実行することにより、制御部３６が医療情報管理サーバ３全体を統括制御し、かつ、通信処理手段として機能するようになっている。
【００３３】
通信処理手段は、通信ＩＦ３４を制御してネットワークを介してユーザ端末装置２また情報処理装置４との間で医療情報の送受信処理を行う。
【００３４】
（情報処理装置４の構成）
次に、情報処理装置４の構成について説明する。図４は、本実施形態の医療情報処理システム１における情報処理装置４のブロック構成を示す図である。
【００３５】
情報処理装置４は、医療情報管理サーバ３に蓄積された医療情報データを、所望の項目を抽出して連結させた二次医療情報を生成するための装置である。この情報処理装置４は、汎用のサーバコンピュータを用いて構成することができ、図４に示すように、ＣＰＵ４１と、情報処理装置用プログラム４２ａ等を記憶する書き換え可能な主記憶装置としての第１記憶部４２と、各種情報を記憶するＨＤＤ等から構成された第２記憶部４３と、ネットワーク５を介して接続しているユーザ端末装置２または医療情報管理サーバ３との間で通信を行うための通信ＩＦ４４とを備えて構成されている。これらの各種構成要素はシステムバス４５を介して相互に接続されている。なお、本実施形態においては、ＣＰＵ４１と第１記憶部４２とで制御部４６が構成される。
【００３６】
（第１記憶部４２について）
また、第１記憶部４２には、情報処理装置４のコンピュータとしての基本的な機能を提供すると共に、情報処理装置４を各種手段として機能させるための情報処理装置用プログラム４２ａを記憶しており、この情報処理装置用プログラム４２ａはＣＰＵ４１によって読み出され、ＣＰＵ４１によって情報処理装置用プログラム４２ａに従った機能が実行される。
【００３７】
なお、情報処理装置用プログラム４２ａは、例えば、ネットワークに接続されたサーバ等から、通信ＩＦ４４を介して、第１記憶部４２にダウンロードされるようにしてもよく、又ＣＤ−ＲＯＭ等の記録媒体に記録されてから図示しない記録媒体ドライブを介して、第１記憶部４２に読み込まれるようにしてもよい。
【００３８】
（第２記憶部４３について）
第２記憶部４３には、医療情報を加工して生成した二次医療情報が蓄積される。
【００３９】
（制御部４６について）
制御部４６は、上述のようにＣＰＵ４１と第１記憶部４２とから構成され、ＣＰＵ４１が第１記憶部４２に記憶された情報処理装置用プログラム４２ａを読み出して実行することにより、制御部４６が情報処理装置４全体を統括制御し、かつ、情報処理手段および通信処理手段として機能するようになっている。
【００４０】
情報処理手段は、医療情報管理サーバ３に蓄積された医療情報データを合成し、データ形式の異なる複数の医療情報データのうち所望の項目のデータを抽出し、これらの抽出したデータを連結して二次医療情報を生成する。この二次医療情報は、抽出した項目のデータを連結することにより生成しているため、ユーザ端末装置２におけるユーザの操作により、抽出した項目の中からさらに細かい情報を抽出することができる。
【００４１】
通信処理手段は、通信ＩＦ４４を制御してネットワークを介してユーザ端末装置２また医療情報管理サーバ３との間で医療情報の送受信処理を行う。
【００４２】
このように、医療情報処理システム１では、ユーザ端末装置２、医療情報管理サーバ３および情報処理装置４を備えることにより、ユーザ端末装置２において入力された医療情報は、医療情報データとして医療情報管理サーバ３に蓄積される。また、情報処理装置４において、医療情報管理サーバ３に蓄積した医療情報データは加工され、二次医療情報データが生成される。そして、二次医療情報データに基づく情報はユーザ端末装置２の表示部２６に表示され、ユーザの操作により表示部２６に表示された情報は個別具体的に表示される。
【００４３】
以下、上述した医療情報処理システム１を「電子カルテログ解析」や「地域連携システム」に適用した実施例について説明する。
【００４４】
［実施例１]
まず、医療情報処理システム１を電子カルテログに適用した例について説明する。本実施例の医療情報処理システム１では、電子カルテ導入（図５に示す）により発生するアクセスログの解析を行う。すなわち、医療情報管理サーバ３に蓄積された医療情報としての電子カルテの中から患者の基本情報に関する項目を抽出し、この電子カルテから抽出した患者の基本情報についての二次医療情報を生成する。そして、ユーザ端末装置２の表示部２６に、生成した二次医療情報に基づいてアクセス全般、曜日別・時間帯別利用数グラフ、職種別利用状況、部署別利用状況、場所別利用状況、端末の特定、利用回数上位１０傑などの出力を設計し、グラフ等により表示することで各種解析を行う。
【００４５】
二次医療情報を用いた解析としては、例えば、ユーザ端末装置２のアクセス者およびアクセス時間の履歴表示と、不正アクセスの防止と、ユーザ端末装置２の資産利用頻度解析と、不使用端末の収集、ユーザ端末装置２の有効活用および無意味な端末増設防止と、院内滞在時間の測定と、診療室および病院動線の再検討のための解析と、タイムスタディ（看護時間、ケア時間、記録時間等の可視化）と、チーム医療の状況調査、病院・医療者の資源投下時間の分析と、病院毎の医療資源投下の可視化と、クリティカルパスの効率化の可視化とがある。
【００４６】
以下、具体的な処理の方法について説明する。本実施例に係る医療情報処理システム１では、ユーザ端末装置２において、医療情報としての電子カルテ情報が入力される。そして、入力された電子カルテ情報は、電子カルテ情報データとして医療情報管理サーバ３に蓄積される。
【００４７】
次に、情報処理装置４では、医療情報管理サーバ３に蓄積された電子カルテ情報データの中から患者の基本情報の項目に関するデータを抽出し、この抽出したデータを連結させて二次医療情報データを生成する。
【００４８】
次に、ユーザ端末装置２の表示部２６では、情報処理装置４において生成された二次医療情報データに基づいた二次医療情報（図６〜９参照）が表示される。この表示される二次医療情報には、複数のタブ、例えば、メインタブや職員別利用状況タブを有する。
【００４９】
図６に示すように、メインタブには、二次医療情報として、「利用月日」、「職制名称」、「科名称」、「利用時間」、「Ｃｏｕｎｔ（患者番号）」、「部署名」、「場所」、「場所中分類」、「室名称」等が表示される。
【００５０】
図７に示すように、「利用月日」は、ユーザ端末装置を利用した利用日時を示すものであり、例えば、「2010/02/08」等の日時が表示される。
【００５１】
また、「職制名称」は、医療機関に所属する職員の職制を示すものであり、例えば、「ＭＥセ技師」や「クラーク」等の職制名が表示される。
【００５２】
また、「科名称」は、利用したユーザ端末装置を設置する診療科を示すものであり、例えば、「ＭＥセンタ」や「リハビリ」等の診療科名が表示される。
【００５３】
また、「利用時間」は、ユーザ端末装置を利用した利用時間を示すものであり、例えば、「00」、「01」等の利用時間が表示される。なお、単位は時間（ｈ）である。
【００５４】
また、図８に示すように、「部署名」は、利用したユーザ端末装置を設置する部署を示すものであり、例えば、「３西」や「３南」等が表示される。
【００５５】
また、「場所」は、利用したユーザ端末装置を設置する場所を示すものであり、例えば、「デイケア棟」や「救命救急センター」等の場所名が表示される。
【００５６】
また、「場所中分類」は、上述した「場所」の分類を示すものであり、例えば、「１階」や「３西」等が表示される。
【００５７】
また、「室名称」は、利用したユーザ端末装置を設置する医療室を示すものであり、例えば、「（０）番撮影室操作室」や「（１０番）撮影室操作室」等が表示される。
【００５８】
また、図１０〜１３に示すように、職員別利用状況タブには、「利用月日」、「職制名称」、「科名称」、「利用時間」、「部署名」、「場所」、「場所中分類」、「室名称」、「端末利用状況」が表示される。なお、「利用月日」、「職制名称」、「科名称」、「利用時間」、「部署名」、「場所」、「場所中分類」および「室名称」については重複するため説明を省略する。
【００５９】
図１３に示すように、「端末利用状況」は、各職員毎のユーザ端末装置の利用時間を示すものである。
【００６０】
上記した項目の情報に基づいて、アクセス全般、曜日別・時間帯別利用数グラフ、職種別利用状況、部署別利用状況、場所別利用状況、端末の特定、利用回数上位１０傑等の出力を設計し各種項目をベースにいろいろな角度からのグラフ作成を行った。
【００６１】
このように、本実施例の医療情報システムを用いることにより、アクセス者、職種、所属部・科名、身分、アクセス端末、アクセス時刻、端末の大まかな場所、細かな場所、端末管理部署などの解析を行うことができる。これにより、利用時間帯比較、診療科別職種別利用数、外来部署別、病棟別利用比較および学生利用頻度等をグラフ化して比較解析することができる。
【００６２】
（１．職種別時間帯別アクセス数）
図９に示すように、例えば、職種別時間帯別アクセス数の解析を行う場合には、以下の解析結果を得ることができる。すなわち、昼休みに小さな谷を持つ二峰性を示すが、看護部は夜間も一定のアクセスがあり夜勤帯の活動を示した。医師のアクセスは午前にピークが大きいが午後もなだらかにアクセスがあり１９時から２０時まで緩やかに利用が伸びていた。事務クラーク系は８時台に始まり、１７時に終了する台形パターンを示した。
【００６３】
（２．診療科別曜日アクセス数）
また、診療科別曜日アクセス数の解析を行う場合には、以下の解析結果を得ることができる。すなわち、入院外来を問わず、すべての医師のアクセスをカウントして各診療科毎に分けた。最も多かったのは消火器外科で、小児科や消化器内科が続いた。また、特徴的なのは消化器外科の日曜のアクセスが多いのに比べると、消化器内科・循環器内科の日曜の稼働は少なかった。救命センターは最も休日との差が少なく、常に診療していると思われた。ただ、全体のアクセス数は医師の数や入院ベッド数に関連するため、医師一人あたりのアクセス数が多いというわけではない。
【００６４】
（３．医学部医学科、看護学科、薬剤師実習比較）
また、医学部医学科、看護学科、薬剤師実習比較を行う場合には、以下の解析結果を得ることができる。すなわち、学生の利用は、アクセスの多い順に看護学科＞薬剤実習＞医学科学生であった。○×病院は土曜も外来診療をしており当然医師のアクセスがあるが、学生は土日が休みのためアクセスがなかった。例外的な医学生の夜間や早朝からの利用は救急を含む病棟実習を反映していた。
【００６５】
このように、本実施例に係る医療情報処理システム１によれば、アクセス者、職種、所属部・科名、身分、アクセス端末、アクセス時刻、端末の大まかな場所、細かな場所、端末管理部署などの解析を行うことができる。
【００６６】
これにより、電子カルテ利用時刻や曜日などが診療科や部署によりどう異なるのか、その勤務状況の傾向もわかりやすく表示できる。また、端末の設置場所からの観点からも、利用の密度や時間帯、それを利用する職種の傾向などがグラフにより提示でき、端末の配置や台数の適正化などに利用することができる。
【００６７】
このように膨大な医療情報の解析に、繰り返されるデータのフィルタリングや再抽出・再取り込みなどの行程が除かれて一気にグラフにまで描出できる環境が得られると、「見てみたい、調べてみたい」という疑問からその解析結果の確認までが短縮され、ＰＤＣＡサイクルが効果的に動いて、有用な結果を得ることができる。
【００６８】
また、特別な情報処理の知識を有しないユーザであっても扱いやすく柔軟性があるシステムを導入することにより、それぞれの現場の細かな要望に答えることができ、現場の解析レベルを向上して病院運営や診療の改善に寄与することができる。
【００６９】
［実施例２］
次に、他の実施例として、医療情報処理システム１を地域連携分析に適用した例について説明する。図１４〜１５に示すように、本実施例では、医療情報として地域連携システムにより生成される紹介患者基本情報に基づいて、医療機関に紹介された患者のエリア別患者数を可視化するものである。
【００７０】
本実施例の医療情報処理システムでは、医療情報として、地域連携システムにおける紹介患者基本情報を入力する。この紹介患者基本情報としては、図１６〜図１８に示すように、患者氏名、ＩＤ、生年月日、性、紹介年月日、紹介元医療施設、診療科、患者住所郵便番号がある。
【００７１】
本実施例の医療情報処理システムでは、年度別紹介患者件数、年齢分布、診療科別件数、紹介医療施設別件数、インターネットを利用した地図描画ソフトを用いて郵便番号によるエリア別患者数をグラフ等により表示して可視化する。これにより、以下の解析を行うことができる。
【００７２】
（４．１  年度別紹介患者件数）
例えば、図１４のＡ欄及び図１５のＡ欄に示すように、年度別紹介患者件数の解析を行う場合には、以下の解析結果を得ることができる。すなわち、全体では紹介患者件数は年々増加しており、近似曲線により将来の紹介患者件数推計が可能であった。また、診療科によっては年度ごとに紹介患者件数は大きく変動しており、医師の異動が要因と考えられた。
【００７３】
（４．２  診療科別紹介患者件数）
また、診療科別紹介患者件数の解析を行う場合には、以下の解析結果を得ることができる。すなわち、図１４のＢ欄及び図１５のＢ欄に示すように、紹介患者数上位５つの診療科は整形外科、小児科、産婦人科、耳鼻咽喉科、眼科であり、年度別にみても大きな変動はなかった。
【００７４】
（４．３  年齢分布）
診療科によって大きく年齢分布のパターンが異なっていた。
図１４のＣ欄及び図１５のＣ欄に示すように、一峰性は３０歳代にピークがある産婦人科、二峰性は肝臓・膠原病内科や循環器内科、ピークが見られないのは皮膚科救命救急センターなどであった。
【００７５】
（４．４  紹介医療施設別件数）
また、紹介医療施設別件数の解析を行う場合には、以下の解析結果を得ることができる。すなわち、図１４のＤ欄及び図１５のＤ欄に示すように、近隣の中核病院からの紹介が上位を占めていた。医院・クリニックからの紹介では上位は毎年固定しており、特に人口透析、消化器内科、産婦人科、小児科、循環器内科の紹介が多かった。
【００７６】
（４．５  エリア別紹介患者件数）
また、エリア別紹介患者件数の解析を行う場合には、以下の解析結果を得ることができる。すなわち、図１４のＥ欄及び図１５のＥ欄に示すように、患者住所の郵便番号から緯度と経度を得て、地図描画ソフト上に展開し、同じ位置ポイントの数をバブルチャートで示した。全体的には△□市西南部・○○前原地区を中心に紹介されていたが、××、□□からも多くの紹介があり、△□という土地柄も考えられていた。
【００７７】
このように、本実施例に係る医療情報処理システムによれば、年度別紹介患者件数、年齢分布、診療科別件数、紹介医療施設別件数、インターネットを利用した地図描画ソフトを用いて郵便番号によるエリア別患者数をグラフ等により表示して可視化することにより、地域連携システムの紹介患者基本情報を二次活用することができる。
【００７８】
以上、実施形態および第１，第２の実施例を挙げて本発明を説明したが、本発明はこの実施形態に限定されず、様々な変形が可能である。例えば、本発明に係る医療情報処理システムの適用は電子カルテログ解析および地域医療連携に限定されず、例えば、病院の経営分析、ＤＰＣ解析および在庫管理にも適用可能である。または、薬の副作用、年齢別に適用する薬、転用薬、薬の飲み合わせなどの情報を可視化することで、薬に関する分析も可能である。
【符号の説明】
【００７９】
１  医療情報処理システム
２  ユーザ端末装置
３  医療情報管理サーバ
４  情報処理装置
５  ネットワーク
２１，３１，４１  ＣＰＵ
２２，３２，４２  第１記憶部
２２ａ  ユーザ端末装置用プログラム
２３，３３，４３  第２記憶部
２４，３４，４４  通信ＩＦ
２５  操作部
２６  表示部
２７，３５，４５  システムバス
２８，３６，４６  制御部
３２ａ  管理サーバ装置用プログラム
４２ａ  情報処理装置用プログラム
【図１】
2012177976.tif 000003
【図２】
2012177976.tif 000004
【図３】
2012177976.tif 000005
【図４】
2012177976.tif 000006
【図５】
2012177976.tif 000007
【図６】
2012177976.tif 000008
【図７】
2012177976.tif 000009
【図８】
2012177976.tif 000010
【図９】
2012177976.tif 000011
【図１０】
2012177976.tif 000012
【図１１】
2012177976.tif 000013
【図１２】
2012177976.tif 000014
【図１３】
2012177976.tif 000015
【図１４】
2012177976.tif 000016
【図１５】
2012177976.tif 000017
【図１６】
2012177976.tif 000018
【図１７】
2012177976.tif 000019
【図１８】
2012177976.tif 000020